(57)【要約】【課題】片手で被洗髪者の頭部にあてがうことができ、被洗髪者の頭部に適度な圧が加えられるように即座に片手で調整でき、被洗髪者の額と、当接面における一定の部分との間を接触させておくことにより、被洗髪者の頭部サイズや頭部形状に係わらず、少なくとも被洗髪者の目鼻に湯水が流れ落ちない状態に保つことのできる洗髪補助用具を提供することを目的とする。【解決手段】  本発明の洗髪補助用具は、略馬蹄形状に形成された弾性変形可能なガード部材と、該ガード部材の周方向中央部に該ガード部材と一体化されて設けられたゴム弾性を有するシート部材とを備え、前記シート部材は前記ガード部材の周方向中央からそれぞれ離間した指固定部を少なくとも一対有しており、前記シート部材において前記ガード部材の周方向中央部に位置する部位の少なくとも一部は前記ガード部材と重ならずに設けられている。【選択図】図１
2020018823.tif 000002
【特許請求の範囲】
【請求項１】
洗髪の際に、被洗髪者の顔を湯水から保護するための洗髪補助用具であって、
略馬蹄形状に形成された弾性変形可能なガード部材と、該ガード部材の周方向中央部に該ガード部材と一体化されて設けられたゴム弾性を有するシート部材とを備え、
前記シート部材は、前記ガード部材の周方向中央からそれぞれ離間した指固定部を少なくとも一対有しており、
前記シート部材において、前記ガード部材の周方向中央部に位置する部位の少なくとも一部は、前記ガード部材と重ならずに設けられていることを特徴とする洗髪補助用具。
【請求項２】
前記一対の指固定部に作業者の指をそれぞれ挿入した状態で該指を閉じる動作によって、前記シート部材が内側に弾性変形し、その変形に伴って、前記ガード部材における少なくとも前記シート部材の両端と接している部分が、内側に弾性変形することを特徴とする請求項１に記載の洗髪補助用具。
【請求項３】
前記シート部材には、シート面に対して略上方向あるいは略垂直方向に延びる壁部が、少なくとも一部分に備わっていることを特徴とする、請求項１または請求項２に記載の洗髪補助用具。
【発明の詳細な説明】
【技術分野】
【０００１】
本発明は、洗髪補助用具に関する。
【背景技術】
【０００２】
洗髪の際、頭上からの湯水が、顔に流れ落ちないようにするための洗髪補助用具として、全体の形状が中空円盤状で頭からかぶるタイプのシャンプーハットが知られている。また、全体の形状がＵ字状で頭に巻き付けるタイプのシャンプーハットも知られている。
【０００３】
その他に、全体の形状が略三日月状で、かつ、取っ手が備わっており、作業者が、被洗髪者の額にあてがって使用するタイプのシャンプーガードも知られている（特許文献１参照）。
【０００４】
このタイプのシャンプーガードを、図１５に基づいて説明する。シャンプーガード５１の部材５２は、被洗髪者の頭部の一部に一致する形状および寸法で、かつ、頭部の周りを包囲できる大きさに形成される。具体的には、部材５２は、略三日月状に形成され、２つの対向する側部が、被洗髪者に装着された際に耳の後方まで延びるように形成されている。
【０００５】
部材５２の素材には、比較的硬質で、かつ、幾分しなやかさのある樹脂などが用いられ、部材５２の対向する側部は、しなうだけでなく、弾力的に跳ね返ろうとする性質を持つように構成される。この弾力的に跳ね返ろうとする性質を利用して、部材５２の対向する側部の間に被洗髪者の額および左右の側頭部を挟み込ませることで、シャンプーガード５１を被洗髪者の頭部にある程度固定できる。
【０００６】
その他、部材５２の内周面下縁近傍には、全周にわたって、発泡体などの圧縮可能な素材でできた厚みのあるシール材５３が設けられ、厚みのあるシール材５３自体の内周面下縁からは、シール材５３が薄いシート状に形を変えて、全周にわたって、溝を形成しながら、略上方向に向かって延びるよう形成される。  
【０００７】
尚、シール材５３の厚みのある部分は、クッションの役割として設けられ、シール材５３の薄いシート状の部分は、個々の頭部の形状に合わせて水密状態を作る役割として設けられる。また、部材５２の外周中央部分には、取っ手５４が設けられる。
【０００８】
被洗髪者の頭部が上記シャンプーガード５１に挟み込まれている状態において、作業者が、取っ手５４を握りながら、取っ手５４と一体型であるシャンプーガード５１を被洗髪者の額に押し当てることにより、シール部材５３と、被洗髪者の額および側頭部との間の隙間を、より減らせるよう構成される。
【先行技術文献】
【特許文献】
【０００９】
【特許文献１】米国特許第７，３１０，８２７号
【発明の概要】
【発明が解決しようとする課題】
【００１０】
上述したように、特許文献１のシャンプーガードは、略三日月状の部材に備わっている弾力的に跳ね返ろうとする性質を利用して、略三日月状部材の側部の間に、被洗髪者の頭部を挟み込ませた上で、略三日月状部材を被洗髪者の額に押し当てることで、被洗髪者の頭部と略三日月状部材の内周面に設けられているシール部との間の隙間を減らせるよう構成されている。
【００１１】
しかしながら、略三日月状部材の側部の間に、被洗髪者の頭部を挟み込ませる際には、作業者が両手で略三日月状部材の側部の間を広げながら、被洗髪者の頭部を挟み込む必要があった。そのため、被洗髪者の頭部を略三日月状部材で挟み込めたとしても、それを被洗髪者が嫌がった場合には、作業者がシャンプーガードの取っ手を握ろうとする間やシャワーを手に持とうとする間に、被洗髪者によって、シャンプーガードが外されてしまうという問題があった。
【００１２】
また、被洗髪者が協力的であっても、略三日月状部材の側部の弾力的に跳ね返る力によって、被洗髪者が頭部を圧迫され、痛みを感じる場合があった。
【００１３】
その他、シャンプーガードの大きさに対して被洗髪者の頭部サイズが小さい場合には、略三日月状部材の側部同士では被洗髪者の頭部を挟み込めなかったり、挟めたとしても被洗髪者の頭部と略三日月状部材の内周面に設けられているシール部との間の隙間が埋まらなかったりする場合があった。
【００１４】
本発明はこのような問題に対処するためになされたもので、片手で被洗髪者の頭部にあてがうことができ、かつ、被洗髪者の頭部に適度な圧が加えられるように即座に片手で調整でき、かつ、被洗髪者の額と、当接面における一定の部分との間を接触させておくことにより、被洗髪者の頭部サイズや頭部形状にかかわらず、少なくとも被洗髪者の目鼻に湯水が流れ落ちない状態に保つことのできる洗髪補助用具を提供することを目的とする。
【課題を解決するための手段】
【００１５】
本発明の洗髪補助用具は、洗髪の際に、被洗髪者の顔を湯水から保護するための洗髪補助用具であって、略馬蹄形状に形成された弾性変形可能なガード部材と、該ガード部材の周方向中央部に、該ガード部材と一体化されて設けられたゴム弾性（ゴム類似物質の弾性つまりゴム状弾性も含む。以下同じ）を有するシート部材とを備え、前記シート部材は、前記ガード部材の周方向中央からそれぞれ離間した指固定部を少なくとも一対有しており、前記シート部材において、前記ガード部材の周方向中央部に位置する部位の少なくとも一部は、前記ガード部材と重ならずに設けられており、作業者が前記一対の指固定部の片側に親指を、もう片側の前記指固定部に親指以外の指を少なくとも１本、てのひらと前記シート部材のシート面とが対向するような指の向きで挿入し、当該親指の先端部分と当該親指以外のグループの指の先端部分とが互いに、より近づくように、それぞれの指の関節を折り曲げる動作によって、ゴム弾性を有する前記シート部材が内側に弾性変形し、その変形に伴って、前記ガード部材における少なくとも前記シート部材の周方向両横端と接している部分が、内側に弾性変形するよう構成している。
また、逆に、当該指固定部に挿入している親指の先端部分と、もう片側の当該指固定部に挿入している指の先端部分とが、互いに更に遠ざかるように、それぞれの指の関節を伸ばすことにより、ゴム弾性を有する当該シート部材が弾性変形して伸張し、それに伴い、当該ガード部材における、少なくとも当該シート部材の周方向両横端と接している部分が、外側に動くよう構成している。
【００１６】
ちなみに、前記「シート部材の周方向両横端」における「横」並びに以下に本稿で記す、それぞれの部位における「横」方向とは、本発明の洗髪補助用具が被洗髪者の頭部にセットされた状態における左右方向を指すものとする。
【発明の効果】
【００１７】
本発明の洗髪補助用具には、特に、前述のようなゴム弾性を有するシート部材が備わっているため、具体的には、以下のことが可能となる。
【００１８】
（１）本発明の洗髪補助用具は、シート部材を装着した手の親指と親指以外の指との間の距離を広げたり縮めたりすることにより、シート部材の両端を閉じたり開いたりできる構造である。また、前述のような構造であるシート部材に連動して、ガード部材における少なくともシート部材の周方向両横端と接している部分も、内側または外側に動く構造である。そのため、被洗髪者の頭部サイズや頭部形状にかかわらず、シート部材の当接面ひいては洗髪補助用具を、片手で、被洗髪者の頭部にあてがう（セットする）ことができる。
【００１９】
（２）本発明の洗髪補助用具は、シート部材を装着した手を被洗髪者の額に押し当てながら、当該シート部材を介した当該手で、被洗髪者の額ないし左右の側頭部あたりまでの範囲内を、当該手の大きさに即して、つかむことができる構造である。よって、被洗髪者の額に押し当てる力や被洗髪者の頭部をつかむ際の手指の力を加減するだけで、当該被洗髪者の頭部への圧を、即座に片手で、適度になるよう調整できる。
【００２０】
（３）本発明の洗髪補助用具は、シート部材を装着した手の親指と親指以外の指とが、互いに更に遠ざかるよう、それぞれの指の関節を伸ばし続けることにより、その間、シート部材の当接面における一定部分（指を挿入している、対を成す指固定部どうしに挟まれた部分、以下同じ）を意図的に伸張状態に保つことができる。
【００２１】
また、前述どおりにシート部材を伸張状態に保ち、当該シート部材を伸張状態に保っている手の親指と親指以外の指とを使って、被洗髪者の、額ないし左右の側頭部までの範囲内の、作業者の手の大きさに即した部分をつかむことができる角度と位置から、当該シート部材の当接面を被洗髪者の額に押し当てた状態のまま、当該被洗髪者の頭部をつかみ、その状態を維持することにより、当該被洗髪者の額と、当該当接面における一定の部分とを、少なくとも被洗髪者の目鼻に湯水が流れ落ちるのを防ぐに足る水密さで接触させておくことができる。
【００２２】
ここで、当該当接面における一定部分と、当該被洗髪者の額との間の接触面を、水密状態にできる仕組みについて述べておく。シート部材の当接面の素材であるゴム弾性体は、微視的には、ランダムコイル状に丸まった高分子の集合体である。これらの高分子は、互いに絡まり合いながら、立体の網の目を形成している。この立体網の目は、液体と固体の性質を併せ持つため、張力や圧を受けた場合に、ゴム弾性体以外の固体と比べて、比較的大きく変形するという特徴を有する。
【００２３】
この立体網の目に、ある一方向から張力を加えると、この立体網の目が、張力の方向に向かって細長く変形し、すなわち伸張する。伸張時の立体網の目は、張力に対して垂直方向からの視点においては、より圧縮された形状つまり凹凸がより、なだらかな形状に変形している。張力に対して同じく垂直方向からの視点とも言える立体網の目表面においても伸張時には、通常と比べて凹凸が、よりなだらかな状態に変形している。
【００２４】
そのため、シート部材を装着した手で、シート部材の当接面における一定部分を伸張状態に保ち続ける限り、ゴム弾性体である当該当接面表面の微視的な凹凸を、通常よりもなだらかな状態に保っておくことができる。また、その間は、当該当接面と対象物の接触面との間の真実接触面積つまり肉眼で直接見ることのできない微視的な接触面積を、通常よりも増加させることができる。
【００２５】
よって、伸張状態にある当該当接面と被洗髪者の額とを接触させた場合、当該当接面と当該被洗髪者の額との間の真実接触面積は、通常よりも増加している状態にある。
【００２６】
その状態から更に、当該当接面を、当該被洗髪者の額に向けて押し当てることにより、当該立体網の目表面の凹凸と当該被洗髪者の額の微視的な凹凸とが、圧力によって互いに圧縮され、その結果、当該当接面と当該被洗髪者の額との真実接触面積を、更に増加させることができる。
【００２７】
また、伸張状態にある当接面を被洗髪者の額に押し当てる方法は、当該当接面のたるみをより無くしたうえで、当該被洗髪者の額に対して垂直方向に圧を加えることになるため、効率的に圧着できる。
【００２８】
それらの結果、当該当接面と当該被洗髪者の額との接触面どうしの間を、少なくとも被洗髪者の目鼻に湯水が流れ落ちるのを防げる程度に水密な状態にできる。
【図面の簡単な説明】
【００２９】
【図１】本発明の最良の形態である洗髪補助用具を、被洗髪者の頭部にセットした状態の一例を示す図である。
【図２】本発明に係わる袋状のシート部材の一例を示す斜視図である。
【図３】図２の背面図である。
【図４】本発明に係わる箱状のシート部材の一例を示す斜視図である。
【図５】本発明に係わる箱状のシート部材の他の例を示す斜視図である。
【図６】本発明に係わる箱状のシート部材の他の例を示す斜視図である。
【図７】本発明の洗髪補助用具の最良の形態を示す斜視図である。
【図８】本発明の洗髪補助用具の他の例を示す斜視図である。
【図９】本発明の洗髪補助用具の他の例を示す斜視図である。
【図１０】本発明の洗髪補助用具の他の例を示す正面図である。
【図１１】図９の洗髪補助用具の背面図である。
【図１２】図９の洗髪補助用具の平面図である。
【図１３】図９の洗髪補助用具の環状部材の正面図などである。
【図１４】本発明の洗髪補助用具の他の例を示す斜視図である。
【図１５】従来のシャンプーガード（洗髪補助用具）を示す概略構成図である。
【発明を実施するための形態】
【００３０】
本発明の最良の形態である洗髪補助用具１０１を、被洗髪者の頭部にセットした状態の一例を、図１に示した。
ところで、技術分野の項で、「本発明は、洗髪補助用具に関する」と述べたが、ここで、本発明における洗髪補助用具の定義を、「洗髪の際、頭上からの湯水が、少なくとも目に流れ落ちないようにするための洗髪補助用具であって、当該洗髪補助用具に取っ手あるいは手に装着するための部位が備わったもの」と定める。
【００３１】
また、先に、本発明の洗髪補助用具のいずれの形態にも共通して備わっている部位であるシート部材１１について説明する。まず、図２〜図６にシート部材１１の構成例をそれぞれ示した。
【００３２】
図２〜図６に示すように、シート部材１１は、所定の厚みを有するシート様の部材であり、図２のような平面状のものだけでなく、図４〜図６でも示すように、壁部１１ｅが備わった立体的な形状も含んでいる。尚、図４の形態では、シート部材１１は、略直方体の一面が部分的に開口された箱状に形成されている。また、図５、図６の形態においても、シート部材１１は、シート面１１ｂの表面に対して略垂直方向に延びる壁部１１ｅによって壁面を全て囲まれた箱状形状となっている。このような箱状のシート部材１１は、平面状のシート部材１１と比べて、指を挿入するための空間が比較的広いため、作業者がより容易に指を挿入できるというメリットがある。
【００３３】
しかしながら、シート部材１１の立体形状は、壁部１１ｅによって壁面を全て囲まれていなくとも、部分的に壁部１１ｅが備わった形状であってもよい。また、壁部１１ｅが延びている方向は、必ずしも略垂直方向である必要は無く、少しでも上向きの方向すなわち略上方向であればよい。そのため、壁部１１ｅと指固定部１１ａとの間の境目がはっきりしない場合もあるが、少しでも略上方向に延びている部分がある場合には、壁部１１ｅが備わっているものとする。いずれの形態であっても、シート面１１ｂの表面には、少なくとも一対の指固定部１１ａが備わっている。
【００３４】
また、指固定部１１ａの形状は、開口部である１１ｃの真下かつ、シート面１１ｂ上の部分を入り口とする、奥が行き詰まりになった形状をしている。言い換えるならば、各指固定部１１ａの形状は、それぞれ、先端が閉塞され、他端である開口部１１ｃが開口された平面的な形状あるいは壁部１１ｅが少なくとも一部分に備わった立体的な形状である。尚、対を成す１組の指固定部１１ａは、それぞれの開口部１１ｃが互いに対向するように配置されることにより、対をなす。更に、洗髪補助用具を被洗髪者の頭部にセットした際、対を成し得る指固定部１１ａどうしのうち、少なくとも１組の指固定部１１ａどうしが、横方向の同一ライン上に並ぶよう、指固定部１１ａは配置される。
【００３５】
ちなみに、シート面１１ｂの表面上のどの位置に指固定部１１ａが設けられるかに関しては、好ましくは、シート面１１ｂの横方向（対をなし得る開口部１１ｃどうしが互いに対向している方向、以下同じ）の両端であるが、この限りではない。つまり、シート面１１ｂの中程に、指固定部１１ａの行き詰まり部分が位置していてもよい。その場合、シート面１１ｂの形状は、図２〜図６に示すような横に長い形状とは限らず、縦に長い形状もあり得るし、縦横の差がさほど無い形状もあり得る。
【００３６】
その他、シート部材１１において、対を成す指固定部１１ａどうしの形状や大きさや数が、それぞれ互いに異なるように形成してもよい。例えば、片側の指固定部１１ａだけを平面状とし、もう片側の指固定部１１ａは、壁部１１ｅが少なくとも一部分に備わった立体的な形状に形成してもよいし、片側の指固定部１１ａだけを、より大きくしてもよい。また、片側に設ける指固定部１１ａの数は、１個だけ設けることが好ましいが、片側に２個以上設けてもよい。その場合、横並びで２個以上設けてもよいし、縦並びで２個以上設けてもよいし、その両方でもよい。その際も、壁部１１ｅが部分的あるいは全面的に備わっていてもよいし、備わっていなくてもよい。  
【００３７】
次に、ふち部１１ｆについて、図６を用いて説明する。図６に示すように、ふち部１１ｆは、対をなし得る指固定部１１ａどうしを少なくとも１対、掛け渡せる位置にある平板状の部材であり、壁部１１ｅが備わっている箇所においては壁部１１ｅのふちから、壁部１１ｅが備わっていない箇所においてはシート面１１ｂのふちから、シート面１１ｂに対して略水平方向に延びている。
ふち部１１ｆを設けた場合、本体部１２ａ（詳細は後述）とシート部材１１とを結合させる箇所として、ふち部１１ｆを選択することが可能となる。
【００３８】
尚、図６のシート部材１１には、ふち部１１ｆが２箇所に備わっているが、１箇所だけに設けてもよい。また、図６に示すシート部材１１は、全壁面を壁部１１ｅによって囲まれた形状をしているが、その他の形態として、平面状の、あるいは部分的に壁部１１ｅが備わったシート部材１１に、ふち部１１ｆが設けられてもよい。
【００３９】
ここで、シート部材の構成についてまとめると、次のようになる。図２の形態では、シート部材１１は、シート面１１ｂと指固定部１１ａとが一体化された構成であり、図４〜図６の形態では、シート面１１ｂと壁部１１ｅと指固定部１１ａとが一体化された構成である。
尚、図３に示すようにシート面１１ｂの背面は当接面１１ｄであり、シート面１１ｂと当接面１１ｄとは、表裏一体となっている。また、シート面１１ｂと当接面１１ｄとは、必ずしも単一の素材からなる単一層で構成されている必要は無い。よって、水密となった複数層で構成されていてもよい。
その他、洗髪補助用具を被洗髪者の頭部にセットした際には、当接面１１ｄにおける一定部分と、被洗髪者の額とが、少なくとも被洗髪者の目鼻に湯水が流れ落ちない程度に、接触し合うことになる。
【００４０】
続いて、図１を用いて、シート部材１１を手に装着する方法について説明する。図１では、最も好ましい装着方法を示している。しかしながら、より広い選択肢があり、対を成す指固定部１１ａの片側に親指を、もう片側の指固定部１１ａに親指以外の指を少なくとも１本、手の向きを、てのひらとシート面１１ｂとを対向させる向きで挿入することにより、シート部材１１を手に装着することができる。
【００４１】
ただし、先にも述べたが、好ましくは、図１のように、片側の指固定部１１ａに親指を、もう片側の指固定部１１ａに中指と薬指とを挿入する。そうすることにより、親指と親指以外の指との間の寸法を比較的長くすることができる。また、そうすることにより、図１で既に示している通り、シート部材１１を装着した状態の手で被洗髪者の左右の側頭部をつかんだ際には、人差し指を被洗髪者の頭部に直接、接触させておくことができる。それにより、被洗髪者が頭部を動かした場合でも、当接面１１ｄと被洗髪者の額とを、より、ずれにくい状態に保つことができる。
【００４２】
また、図１では、作業者が被洗髪者と向かい合った状態で使用している様子を示しているが、作業者が、被洗髪者の背後に位置して使用することで、より安全性を高めて使用することができる。その理由としては、被洗髪者の後ろに作業者がいることで、作業者の体自体が被洗髪者の体の支えとなり得るため、被洗髪者が後ろに転倒する危険性をより減らすことができる、というものである。  
【００４３】
次に、片側の指固定部１１ａの行き詰まり部分から、もう片側の指固定部１１ａの行き詰まり部分までの長さに関して述べる。対を成し得る指固定部１１ａどうしの間の長さを、作業者の様々な手の大きさに適合させるためには、対を成し得る指固定部１１ａの行き詰まり部分どうしの長さを、あらかじめ短く設定しておく必要がある。一方、当接面１１ｄに関しては、洗髪補助用具が被洗髪者の頭部にセットされた際、被洗髪者の額の、片側の側端からもう片側の側端までが、当接面１１ｄによって覆われている状態になっていることが好ましい。それらの事柄を考慮すると、作業者をあらかじめ大人限定に絞り込み、対を成し得る指固定部１１ａの行き詰まり部分どうしの長さを、大人の手の大きさを基準にして設定することが好ましいという結論になる。
【００４４】
しかしながら、例えば、図１０図１１（詳細は後述する）に示すような形態の洗髪補助用具であれば、比較的、より多くの部分に水密機能が備わっているため、洗髪補助用具を被洗髪者の頭部にセットした際、当該被洗髪者の額の、片側の側端からもう片側の側端までが、必ずしも当接面１１ｄによって覆われる必要性が無い。
よって、図１０図１１のような形態の洗髪補助用具に限っては、シート部材１１の素材として、ゴム弾性を有する素材のなかでも、できるだけ伸縮性の高い素材を用いるようにしたうえで、対を成し得る指固定部１１ａの行き詰まり部分どうしの長さを、極端に短く設定することも可能である。
その場合、例えば、シート部材１１の素材として、少なくとも２７０％伸びる素材（伸び率２７０％以上の素材）を用いるとすると、対を成し得る指固定部１１ａの行き詰まり部分どうしの間の長さを、５．５ｃｍに設定することさえできる。その結果、シート部材１１を、子供の手にも大人の手にも適合させることも可能となる。
【００４５】
次に、シート部材１１の横方向における、指固定部１１ａのポケット長さについて説明する。前記ポケット長さは、平面的な形状か立体的な形状かに係わらず、指が安定して引っ掛けられる長さであればよく、少なくとも１ｃｍ程度あることが好ましい。
【００４６】
次に、シート部材１１の材質に関して、より詳しく説明する。シート部材１１におけるシート面１１ｂの材質、及び、壁部を設ける場合の壁部１１ｅの材質としては、ゴム弾性を有する弾性変形可能で、かつ、水や空気を極めて通しにくい性質の素材が用いられる。具体例としては、ＴＰＥ（熱可塑性エラストマー、以下同じ）、熱硬化性樹脂系エラストマー、加硫ゴムである。中でも、好ましい素材は、ＴＰＥであり、その中でも、できるだけ伸縮性の高い性質を持つ素材を用いることが好ましい。
尚、指固定部１１ａの材質は、シート面１１ｂや壁部１１ｅの材質と同一であることが好ましいが、この限りではない。
【００４７】
次に、本発明の洗髪補助用具の一例であり、水密機能性と製造コストの面から見て最良の形態である洗髪補助用具１０１について、図７に基づいて説明する。図７に示すように、洗髪補助用具１０１のシート部材１１には、一例ながら箱状のシート部材１１が備わっており、シート部材１１の構成は、図４の構成と同様である。  
【００４８】
また、図７に示すような形態である洗髪補助用具１０１において、本体部１２ａがシート部材１１のどの箇所に固定すなわち一体化されるかについてであるが、好ましくは本体部１２ａは、シート部材１１の、図７では底面側に位置している壁部１１ｅに一体化される。その際、より好ましくは、前述の、底面側にある壁部１１ｅと本体部１２ａとが、最大限に互いが重なり合うよう一体化される。
【００４９】
尚、図７に示すように側面ガード部１２ｂは、本体部１２ａの周方向両側に設けられている。また、当該側面ガード部１２ｂの形状は、図７においては、一例として略長方形状となっている。
また、図７において側面ガード部１２ｂは、シート部材１１の上端から、本体部１２ａにおける、シート部材１１寄りではないほうの縁にかけて設けられており、かつ、シート部材１１における横側の壁部１１ｅを覆うように設けられている。
【００５０】
ここで、洗髪補助用具１０１に関する補足説明をいくつか加える。洗髪補助用具１０１におけるガード部材１２は、本体部１２ａと側面ガード部１２ｂとから成り、図７に示すようにガード部材１２は、略馬蹄形状である。
また、洗髪補助用具１０１は、略馬蹄形状であるガード部材１２と、当該ガード部材１２の周方向中央部に、当該ガード部材１２と一体化されて設けられたシート部材１１とを備える。
その他、シート部材１１の厚さ方向において、ガード部材１２と当接面１１ｄとが、できるだけ互いに直接重なることのないように一体化される。その結果、当接面１１ｄの表面を、すべて、あるいはほとんどすべて、露出させられる。
【００５１】
尚、本発明のいずれの形態にも共通する事柄であるが、ガード部材１２とシート部材１１とは、互いが接触し合っている部位が、少なくとも使用の最中に水密状態となる程度に一体化されていればよく、例えば、互いの部材を縫い合わせてもよく、熱融着させてもよく、周知の接着剤などで接着させてもよい。つまり、物理的結合でも化学的結合でもよい。
【００５２】
ちなみに、図７の洗髪補助用具１０１におけるガード部材１２とシート部材１１との好ましい結合方法について、両者は射出成形の一種である異材成形によって結合させられることが好ましい。
【００５３】
次に屋根部１５について述べる。洗髪補助用具１０１において、一対の屋根部１５が設けられる。屋根部１５は、洗髪補助用具を被洗髪者の頭部にセットした際に、シート部材１１の周方向上側（以下、単に「シート部材１１の周方向○○側」と記述）に位置する辺または壁部１１ｅの少なくとも一部分から略水平方向に張り出す平板状の部材である。洗髪補助用具１０１における屋根部１５は、図７に示すように、シート部材１１の周方向上側に位置する壁部１１ｅの両側端あるいは両側端あたりから、それぞれ略水平方向に張り出し、それぞれが、側面ガード部１２ｂにおける上側の辺の先端方向に向かって延びており、当該辺の全てあるいはほぼ全てを覆って固定されている。
屋根部１５を設けることにより、被洗髪者の頭部をより立体的に広範囲に包囲できる。尚、屋根部１５の材質は、シート部材１１の材質と同様であることが好ましい。
また、屋根部１５を設けることのできる洗髪補助用具の形態としては、図７〜図１０に示すような形態であれば設けることができる他、図７〜図１０と類似の洗髪補助用具において、シート部材１１に壁部１１ｅが備わっていないか、部分的にしか備わっていない場合でも屋根部１５を設けることが可能である。シート部材１１に壁部１１ｅが備わっていない場合には、屋根部１５は、シート部材１１の周方向上側に位置する辺の少なくとも一部から、略水平方向に張り出す。
【００５４】
次に、本体部１２ａの材質について述べる。洗髪補助用具１０１におけるガード部材１２ａの材質としては、折り曲げても容易に割れない柔軟性と弾力性とを有し、かつ、水や空気を極めて通しにくく、かつ適度な張りを有する材質が用いられる。適度な張りとは、例えば硬度（ＪＩＳ Ｋ ６２５３に準拠するタイプＡの硬度、以下同じ）が５０前後で得られるような張りである。素材例としては、ＥＶＡ（エチレンビニルアセテート）、ＴＰＥ、各種ゴム材などであり、好ましくは、ＥＶＡが用いられる。また、適度な張りさえあれば、不透明の材質でも透明の材質でもよい。
【００５５】
次に、側面ガード部１２ｂの材質に関して述べる。側面ガード部１２ｂの材質は、本体部１２ａの材質と同様であるが、両者が必ずしも同一の素材である必要は無い。ただし、好ましくは、両者は同一素材で一体に成形される。
【００５６】
尚、これは、どの形態の洗髪補助用具に関しても言える事柄であるが、本体部１２ａとシート部材１１の素材とは、互いに同じであってもよいし、異なっていてもよい。また、素材の名称が互いに同じで、硬度だけが互いに異なる素材を用いてもよい。ただし、図７の洗髪補助用具１０１においては、好ましくは、本体部１２ａの素材に適度な張りのあるＥＶＡを、シート部材１１にＴＰＥを用いて射出成形される。
その他の各部位の素材に関しても同様で、それぞれの部位どうしは、それぞれの部位の用途を果たすことさえできれば、互いに同一素材で形成されてもよく、反対に、互いに異なる素材で形成されてもよい。また、素材の名称が互いに同じで、硬度だけが互いに異なる素材をそれぞれに用いてもよい。
【００５７】
その他、これも、どの形態の洗髪補助用具にも言える事柄であるが、本体部１２ａの径方向長さについては、湯水が被洗髪者の目や鼻から離れて流れ落ちるに足る長さに設定される。
【００５８】
次に、本発明の他の例である洗髪補助用具１０２について、図８に基づいて説明する。図８に示すように、洗髪補助用具１０２におけるガード部材１２は、本体部１２ａと側面ガード部１２ｂとから成り、ガード部材１２は略馬蹄形状である。また、当該ガード部材１２の周方向中央部に、当該ガード部材１２と一体化されて設けられたシート部材１１を備える。シート部材１１は、一例ながら箱状であり、シート部材１１の構成は、図４のシート部材１１と同様の構成である。ただし、図６のシート部材１１のように、ふち部１１ｆが設けられているほうが好ましい。また、厚さ方向において、ガード部材１２と当接面１１ｄとが、互いにできるだけ重ならないように一体化されている。このように、洗髪補助用具１０２は、洗髪補助用具１０１とほぼ同じような構成であるが、図８に示すような位置に芯材１２ｄを導入することで、本体部１２ａの素材自体には十分な張りが無くとも、本体部１２ａに張りが出るよう構成している点が特に、洗髪補助用具１０１とは異なっている。
【００５９】
芯材１２ｄの材質としては、例えばガード部材１２に適度な張りをもたせることができ、かつ、しなやかさのある材質であればよい。よって、芯材１２ｄの素材としては、例えば、硬質性樹脂や、柔軟性のある樹脂、針金などの金属材等が挙げられる。
【００６０】
また、洗髪補助用具１０２の形態において本体部１２ａは、好ましくは、透明になるよう構成される。その場合、本体部１２ａの素材には、例えば透明の、ＴＰＥや軟質ポリ塩化ビニルやＥＶＡＣなどが用いられる。しかしながら、必ずしも本体部１２ａの素材に、透明の素材を用いなくともよい。
【００６１】
その他、洗髪補助用具１０２における側面ガード部１２ｂは、本体部１２ａよりも硬度が大きい材質で構成されており、それにより、洗髪補助用具１０２全体の形状（特に、つばとなるガード部材１２の形状）が維持できる。側面ガード部１２ｂの素材の具体例としては、適度な張りのあるＥＶＡが用いられる。一方、本体部１２ａにはそれよりも硬度が小さい素材が用いられる。ちなみに、洗髪補助用具１０２において、側面ガード部１２ｂは、一例ながら略長方形状であり、シート部材１１の周方向上側の両側端から、ガード部材１２における芯材１２ｄがある側のふちにかけて設けられている。
【００６２】
尚、洗髪補助用具１０２において、本体部１２ａは、シート部材１１の周方向下側に位置する壁部１１ｅに固定されるか、より好ましくは、ふち部１１ｆを設けたうえで、ふち部１１ｆに固定される。
【００６３】
また、洗髪補助用具１０２の形態において、図８では、屋根部１５の図を省略しているが、図７と同様の位置に屋根部１５が設けられているほうが好ましい。
【００６４】
次に、本発明の他の例である洗髪補助用具１０３について、図９に基づいて説明する。  図９において、洗髪補助用具１０３は、本体部１２ａからなる略馬蹄形状のガード部材１２と、当該ガード部材１２の周方向中央部に、当該ガード部材１２と一体となって設けられたシート部材１１とを備える。
【００６５】
シート部材１１は一例ながら箱状に形成される。シート部材１１の構成は、洗髪補助用具１０２のシート部材１１についての説明内容と同様である。シート部材１１とガード部材１２とを固定させる位置についても、洗髪補助用具１０２と同様である。また、これも洗髪補助用具１０２と同様であるが、ガード部材１２とシート部材１１の当接面１１ｄとが、シート部材１１の厚さ方向において、できるだけ直接重ならないように一体化される。その結果、当接面１１ｄの表面は、すべてあるいはほとんどすべて露出している。
【００６６】
その他、図８の形態と同様に、図９の形態でも、本体部１２ａに芯材１２ｄを導入しており、本体部１２ａ及び芯材１２ｄの材質は、図７の説明の際に述べた材質とそれぞれ同様である。
【００６７】
また、図９の洗髪補助用具１０３において、ガード部材１２の周方向両端には、湯水の側頭部からの流れ込みを防ぐために、一対の側面補助部１３及び一対の屋根部１５がそれぞれ設けられている。
【００６８】
側面補助部１３は、ガード部材１２の周方向両側の側縁からそれぞれ鉛直方向下向きに取り付けられた平板状の部材である。側面補助部１３の材質は、柔軟性だけでなく適度な張りがあることが望ましく、例えば硬度４５〜５０度のＥＶＡや、それと同等の硬度のＴＰＥや熱硬化性樹脂系エラストマーなどが用いられる。
【００６９】
図９に示す洗髪補助用具１０３における屋根部１５は、図７における屋根部１５と同様に、シート部材１１の周方向上側に位置する壁部１１ｅの両側端あるいは両側端付近から、それぞれ略水平方向に張り出している。尚かつ、洗髪補助用具１０３における屋根部１５は、ガード部材１２の周方向両側の側縁を全てあるいはほとんど全て覆うようにして設けられる。ちなみに、屋根部１５の材質は、洗髪補助用具１０１における屋根部１５の材質と同様である。
【００７０】
続いて、本発明の洗髪補助用具の他の形態について、図１０、図１１に基づき説明する。図１０、図１１に示すように、洗髪補助用具１０４には、本体部１２ａと窓部１２ｅとからなる略馬蹄形状のガード部材１２と、当該ガード部材１２の周方向中央部に、当該ガード部材１２と一体化されて設けられたシート部材１１とが備わっており、全体的に正面側に向かって凸構造となっている。
ちなみに当該シート部材１１が固定される位置は、ガード部材１２の周方向中央部かつ、略Ｕ字状とも言える本体部１２ａの周方向両端を掛け渡せる位置である。
【００７１】
その他、洗髪補助用具１０４のガード部材１２において、窓部１２ｅは、本体部１２ａとシート部材１１とで囲まれた領域に形成される。窓部１２ｅは、例えばポリ塩化ビニルなどの透明材質で構成される。窓部１２ｅを設けることで、洗髪補助用具１０４を被洗髪者の頭部に装着した際、被洗髪者は窓部１２ｅを介して前方を視認可能となる。
【００７２】
また、図１０の形態では、本体部１２ａは窓部１２ｅの透明材質よりも硬度が大きい材質で構成される。このように、窓部１２ｅを洗髪補助用具１０４の中央部に配置するとともに、本体部１２ａおよびシート部材１１を窓部１２ｅの外周を覆うように配置することで、視認性を確保しつつ、洗髪補助用具１０４全体の形状（特に、つばとなるガード部材１２の形状）が維持できる。
【００７３】
尚、本体部１２ａの素材は、洗髪補助用具１０１における本体部１２ａに用いられる素材と同様である。
【００７４】
その他、図１０及び図１１で示している形態では、一例ながら箱状のシート部材１１が備わっており、シート部材１１の構成は洗髪補助用具１０２におけるシート部材１１についての説明と同様である。また、これも洗髪補助用具１０２と同様であるが、厚さ方向において、ガード部材１２と当接面１１ｄとが、互いにできるだけ直接重ならないように一体化されている。
【００７５】
また、図１１に示すように、洗髪補助用具１０４においては、当接面１１ｄの両端に弾性変形可能な環状部材１６がそれぞれ設けられている。環状部材１６の素材は、好ましくはＴＰＥである。環状部材１６の素材の硬度としては、例えるならば、シリコン製の折りたたみ式蛇腹コップ本体の素材の硬度程度あることが好ましい。尚、環状部材１６は、部分的に屋根部１５に覆われている。環状部材１６と屋根部１５との位置関係については、詳細を図１２に示している。
【００７６】
図１２に示すように、洗髪補助用具１０４における屋根部１５は、シート部材１１の周方向上側に位置する壁部１１ｅの両端あるいは両端付近から略水平方向に張り出すことにより、各環状部材１６の上面を覆うだけでなく、各環状部材１６の横面をも覆うとともに、本体部１２ａの周方向両側の側縁を部分的に覆うようにして設けられる。
このようにして屋根部１５を設けることにより、湯水が目や鼻に、より流れ落ちない形態になるよう構成できる。  
【００７７】
また、図１３（ａ)〜（ｃ）に示すように、環状部材１６は、軸方向一方に向けて開口寸法が大きくなるように形成されている。環状部材１６の軸方向一端側は大径リング部であり、大径リング部側の先端付近は軸方向と略平行に延びており、軸方向他端側は小径リング部となっている。
【００７８】
更に、図１１に示すように、一対の環状部材１６は、それぞれの大径リング部が洗髪補助用具１０４の背面側を向くように、かつ、互いに略対向するように、当接面１１ｄ、本体部１２ａ、屋根部１５に固定される。それにより、被洗髪者の頭部に洗髪補助用具１０４をセットした際には、各環状部材１６の大径リング部の拡径等の弾性変形が可能となると共に、大径リング部の先端部分を被洗髪者の頭部に対して略垂直の角度で押し当てることができるため、大径リング部の先端部分における、被洗髪者の頭部への圧着性を向上させることができる。その結果、水密機能が得られる。
【００７９】
また、図１１に示すように、洗髪補助用具１０４の背面側には、本体部１２ａの一対の側部に、弾性部材１４がそれぞれ設けられている。弾性部材１４の素材例としては、例えば硬度４５〜５０のＥＶＡが挙げられる。弾性部材１４は、折り目部１４ａで折り曲げられた構造で固定されている。
【００８０】
より具体的には、弾性部材１４の上端は、折り曲げられた弾性部材１４の両面が本体部１２ａに固定されている。これに対して、弾性部材１４の下端は、折り曲げられた弾性部材１４の両面のうち、一方の面だけが本体部１２ａに固定されており、他方の面は本体部１２ａに固定されていない。
そのため、弾性部材１４の下端側の一部は自由状態となり、その部分は、折れ曲がりの反発力によって洗髪補助用具１０４の背面側に向かって張り出す。
【００８１】
ちなみに弾性部材１４は、被洗髪者の頭部に洗髪補助用具１０４をセットした場合に被洗髪者の頬付近に位置する。また、その状態で被洗髪者の頭部に適度な圧が加えられると、被洗髪者の頬付近と弾性部材１４とが密着する。
【００８２】
尚、弾性部材１４の下端側の一部が自由状態となっているため、被洗髪者の頭部サイズなどにかかわらず弾性部材１４と被洗髪者の頬付近の密着性を向上できる。
ちなみに、弾性部材１４の役割は、被洗髪者が少々下を向いていたとしても、湯水が顔中心部側へ、頬をつたって流れることを防止するというものである。
【００８３】
その他、この形態における本体部１２ａは、好ましくはシート部材１１の周方向両横側にある壁部１１ｅに固定され、窓部１２ｅは、好ましくは、図６のふち部１１ｆのような位置に固定される（ただし、図１０では、ふち部１１ｆを省略している）。
【００８４】
以上に述べたように、洗髪補助用具１０４の水密機能は、シート部材１１の当接面１１ｄだけでなく、環状部材１６や弾性部材１４等にも備わっている。そのため、シート部材１１の長さを、先述のような５．５ｃｍという極端な短さに設定することさえ可能である。ただし、その場合、環状部材１６の大きさは、比較的、小さめに設定される。  
【００８５】
次に、本発明の他の例である洗髪補助用具１０５について、図１４に基づいて説明する。まず、洗髪補助用具１０５における、シート部材１１と、本体部１２ａからなるガード部材１２との位置関係について説明する。
図１４に示すように、シート部材１１は、略馬蹄形状のガード部材１２の周方向中央部に位置し、かつ当該シート部材１１の部位の少なくとも一部が、その厚み方向において、ガード部材１２と重なることが無いよう配置され、ガード部材１２とシート部材１１とが一体化される。このような構成とすることで、使用する際に、シート部材１１の当接面１１ｄの中央部を、被洗髪者の額に直接、接触させられるため、密着させやすくなる。
【００８６】
以下に、より詳しい位置関係を述べる。ガード部材１２の形状がおよそ中心角１８０°の馬蹄形状である場合に、まず、中心角を形成する２辺（ガード部材１２の周方向両側の側縁１２ｃに相当する辺）を、周方向内側にそれぞれ４５°移動させた場合の、それぞれの辺とガード部材１２の内径側の縁（切れ込み部分に面しているほうの縁。以下同じ）とが交わる２点がある。この２点を直線で結び、さらに、当該直線とガード部材の内径側の縁とで囲まれた図形部分、及びその周辺のガード部材１２上の部分、少なくともこれらの部分を覆うように、シート部材１１とガード部材１２とが一体化されることが好ましい。
【００８７】
また、シート部材１１とガード部材１２とが、前述のような望ましい位置関係にあるとしたうえで、指固定部１１ａに関しては、ガード部材１２の内径側の縁とシート部材１１の側縁とがそれぞれ交わる左右の点から、それぞれ横方向内側に３ｃｍ以内の範囲、かつ、それぞれガード部材１２上である位置に、指固定部１１ａが設けられていることが好ましい。
【００８８】
図１４においても、シート部材１１の両端にある一対の指固定部１１ａは、シート部材１１の厚さ方向において、ガード部材１２に対してすべて重なるように配置されている。これにより、シート部材１１を装着しているほうの手を使って、被洗髪者の頭部をつかんだ際には、シート部材１１だけでなくガード部材１２をも介してつかむことができるため、ガード部材１２を、被洗髪者の頭部の輪郭に、より沿わせることができる。
【００８９】
また、シート部材１１をガード部材１２上に設ける際、対を成す指固定部１１ａの位置がそれぞれ、ガード部材１２の周方向中央から見て等間隔となるよう、シート部材１１を配置することが好ましい。
【００９０】
その他、図１４のような形態である洗髪補助用具１０５における、ガード部材１２の略馬蹄形状については、中心角（中心）が例えば１２０°〜２４０°の扇形および該扇形に類似する形状（扇形の円弧部分の形状に変更を加えた形状も含む、以下同じ）の第１図形（大きいサイズ側の図形）と、該第１図形と比べて半径が８４％以下であり、かつ、中心角（中心）が第１図形と同じである、扇形および該扇形に類似する形状の第２図形（小さいサイズ側の図形）を、互いの中心角（中心）が揃うようにして重ね合わせ、第１図形から第２図形の部分を取り除いた際の残りの部分の形状であることが好ましい。尚、第１図形および第２図形の中心は、円中心でなくてもよく、円中心に類似した中心位置であればよい。
【００９１】
ガード部材１２の内径側の縁の形状は、好ましくは、図１４に示すように、被洗髪者の額および側頭部の形状に沿うよう円弧状に形成される。
【００９２】
また、図１４に示すように、湯水の排水性を向上させるため、ガード部材１２の表面に溝１２ｆを設けてもよい。ちなみに、溝１２ｆは、図１４の洗髪補助用具１０５だけでなく、図７に示す洗髪補助用具１０１のように、本体部１２ａの素材に適度な張りがある素材が用いられている場合には、設けることができる。その場合、図１４に示すように、本体部１２ａの内径側の縁から外径側の縁に向けて、放射状に溝１２ｆが形成されることが好ましい。
【００９３】
その他、図１４の洗髪補助用具１０５は、ガード部材１２の周方向両側に、それぞれ傾斜部１７を備えている。傾斜部１７は、洗髪の際に被洗髪者がやや下を向いていても、側頭部側から顔中心部側に湯水が流れ落ちないように防ぐ役割を担わされている部分であり、傾斜部１７は、ガード部材１２の平面に沿った方向から見て、鉛直方向下向きに傾斜した傾斜面となっている。つまり、シート部材１１が設けられた位置よりも低い位置になるよう、ガード部材１２の周方向両側をそれぞれ山折りに折ったような状態となっている。
尚、図１４では、傾斜部１７は、ガード部材１２の周方向両側の山折り線１２ｃで山折りして形成される。
【００９４】
その他、図１４の洗髪補助用具１０５におけるガード部材１２および傾斜部１７の材質は、図６に示す洗髪補助用具１０１の本体部１２ａの材質と同様である。ちなみに、ガード部材１２と傾斜部１７との素材は、互いに同じでもよいし、異なっていてもよい。
【００９５】
その他、図１４に示すように、洗髪補助用具１０５において、ガード部材１２上には、ガード部材１２を左右対称に二分割するような山折り線１２ｃが形成されている。当該山折り線１２ｃによって、ガード部材１２全体が山折りできる構造となる。このような位置に山折り線１２ｃを設けることで、洗髪補助用具１０５の使用時において、作業者が指を閉じる動作が行いやすくなり、指の動作に連動してガード部材を弾性変形させやすくできる。
【００９６】
尚、ガード部材１２を左右対称に二分割するような山折り線１２ｃは、前述した溝１２ｆが設けられる条件と同様に、本体部１２ａの素材に適度な張りがある素材が用いられている場合には、どのような形態であっても設けることができる。
【００９７】
その他、図１４の洗髪補助用具１０５には、平面状のシート部材１１が備わっているが、平面状ではなく、少なくとも１箇所以上に壁部１１ｅが備わっている立体的な形状のシート部材１１を用いることもできる。
シート部材１１の構成については、平面状の場合には、図２のシート部材１１と同様の構成、箱状の場合には、図４〜図６に示すシート部材１１と同様の構成である。しかしながら、図示した形態以外にも、前述したような形態である、部分的に壁部１１ｅが備わった形態のシート部材１１が、備わっていてもよい。
【００９８】
尚、洗髪補助用具１０１〜１０５に備わっているシート部材１１は、あくまでも一例であり、図２〜図６で示したシート部材１１の他、例えば部分的に立体的な形状のシート部材１１や、シート面１１ｂが例えばハート型であるシート部材１１等、多様なアレンジが可能である。また、その際、シート部材１１とガード部材１２との固定位置に関しても、シート部材１１の壁部１１ｅやシート部材１１のふち部１１ｆやシート部材１１の周方向下ないし横側に位置する辺等、多様な選択が可能である。ただし、いずれの形態の洗髪補助用具においても、それぞれの部位の用途に支障が生じないよう構成される。
【産業上の利用可能性】
【００９９】
本発明の洗髪補助用具は、洗髪補助用具を製造する分野で利用される。
【符号の説明】
【０１００】
１０１、１０２、１０３、１０４、１０５  洗髪補助用具
１１    シート部材
１１ａ  指固定部
１１ｂ  シート面
１１ｃ  開口部
１１ｄ  当接面
１１ｅ  壁部
１１ｆ  ふち部
１２    ガード部材
１２ａ  本体部
１２ｂ  側面ガード部
１２ｃ  山折り線
１２ｄ  芯材
１２ｅ  窓部
１２ｆ  溝
１３    側面補助部
１４    弾性部材
１４ａ  折り目部
１５    屋根部
１６    環状部材
１７    傾斜部
【図１】
2020018823.tif 000003
【図２】
2020018823.tif 000004
【図３】
2020018823.tif 000005
【図４】
2020018823.tif 000006
【図５】
2020018823.tif 000007
【図６】
2020018823.tif 000008
【図７】
2020018823.tif 000009
【図８】
2020018823.tif 000010
【図９】
2020018823.tif 000011
【図１０】
2020018823.tif 000012
【図１１】
2020018823.tif 000013
【図１２】
2020018823.tif 000014
【図１３】
2020018823.tif 000015
【図１４】
2020018823.tif 000016
【図１５】
2020018823.tif 000017
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
洗髪の際に、被洗髪者の顔を湯水から保護するための洗髪補助用具であって、
略馬蹄形状に形成された弾性変形可能なガード部材と、該ガード部材の周方向中央部に該ガード部材と一体化されて設けられたゴム弾性を有するシート部材とを備え、
前記シート部材は、前記ガード部材の周方向中央からそれぞれ離間した指固定部を少なくとも一対有しており、前記指固定部は、被洗髪者の額ないし左右の側頭部あたりまでの範囲内を、作業者が片手で、当該作業者の片手の大きさに即して、つかむことができるように離間し、
前記シート部材において、前記ガード部材の周方向中央部に位置する部位の少なくとも一部は、前記ガード部材と重ならずに設けられていることを特徴とする洗髪補助用具。
【請求項２】
前記一対の指固定部に作業者の片手の指をそれぞれ挿入した状態で該指を閉じる動作によって、前記シート部材が内側に弾性変形し、その変形に伴って、前記ガード部材における少なくとも前記シート部材の両端と接している部分が、内側に弾性変形することを特徴とする請求項１に記載の洗髪補助用具。
【請求項３】
前記シート部材には、シート面に対して略上方向あるいは略垂直方向に延びる壁部が、少なくとも一部分に備わっていることを特徴とする、請求項１または請求項２に記載の洗髪補助用具。